(57)【要約】【課題】エアコンの室外機から排出される温風を冷却する手段を備えたエアコンの室外機を提供する。【解決手段】エアコンの室外機１に内設されたファン３の回転軸５に発電機７の回転軸９を関連させ、該ファンの前方には室外機の外方に膨出した湾曲体１５を配設し、該湾曲体の内方には該湾曲体の窪んだ内面１５ａに散水する散水手段１７を配設し、該散水手段は前記発電機が発生する電力により作動することを特徴とするエアコンの室外機。ファンの前方には該ファンの方向に膨出した湾曲体を配設し、該湾曲体と該ファンとの間には該湾曲体の膨出した表面に散水する散水手段を配設してもよい。【選択図】図１
2009068795.tif 000002
【特許請求の範囲】
【請求項１】
エアコンの室外機に内設されたファンの回転軸に発電機の回転軸を関連させ、
該ファンの前方には室外機の外方に膨出した湾曲体を配設し、該湾曲体の内方には該湾曲体の窪んだ内面に散水する散水手段を配設し、該散水手段は前記発電機が発生する電力により作動することを特徴とするエアコンの室外機。
【請求項２】
エアコンの室外機に内設されたファンの回転軸に発電機の回転軸を関連させ、
該ファンの前方には該ファンの方向に膨出した湾曲体を配設し、該湾曲体と該ファンとの間には該湾曲体の膨出した表面に散水する散水手段を配設し、該散水手段は前記発電機が発生する電力により作動することを特徴とするエアコンの室外機。
【請求項３】
前記湾曲体は、多孔質体により形成され、かつ、多数の突条を備えていることを特徴とする請求項１又は２に記載のエアコンの室外機。
【請求項４】
前記湾曲体にハニカム構造体を付設したことを特徴とする請求項１〜３のいずれかに記載のエアコンの室外機。
【請求項５】
前記湾曲体に水を感知する液体センサーを備えさせ、該液体センサーが一定以上の水を感知したときには前記散水手段を作動させないようにしたことを特徴とする請求項１〜４のいずれかに記載のエアコンの室外機。
【請求項６】
室外機内には温度センサーを備えさせ、該温度センサーが一定以上の室外機内の温度を感知したときにのみ前記散水手段を作動させるようにしたことを特徴とする請求項１〜５のいずれかに記載のエアコンの室外機。
【請求項７】
前記湾曲体は、一対の湾曲板間に不織布を挟着し、該不織布内には二酸化チタンを被覆したピアノ線を配設し、該ピアノ線の一端に給水管を接続してなることを特徴とする請求項１〜６のいずれかに記載のエアコンの室外機。
【発明の詳細な説明】
【技術分野】
【０００１】
本発明は、エアコン（エアコンディショナー）の室外機に関するものであり、特に、エアコンの室外機から排出される温風を冷却する手段を備えたエアコンの室外機に係るものである。
【背景技術】
【０００２】
エアコンの室外機はファンを内設しており、該ファンにより室外機から排出される温風は、外気温を上昇させる原因となる。特に、多数のエアコンが使用される大都市においては、エアコンの室外機から排出される温風による外気温の上昇が著しく、エアコンの室外機から排出される温風はヒートアイランド現象を生じさせる原因の一つであるといわれている。
【０００３】
実用新案登録第３０６８１８０号公報は、エアコンの室外機に内設されたファンの回転軸に発電機の回転軸を連結してなる発電装置を開示している。
【特許文献１】実用新案登録第３０６８１８０号公報
【発明の開示】
【発明が解決しようとする課題】
【０００４】
本発明は、エアコンの室外機から排出される温風による外気温の上昇を防止するために、エアコンの室外機から排出される温風を冷却する手段を備えたエアコンの室外機を提供しようとしてなされたものである。
【課題を解決するための手段】
【０００５】
上記課題を解決するために、本発明は下記のエアコンの室外機を提供するものである。
【０００６】
（１）エアコンの室外機に内設されたファンの回転軸に発電機の回転軸を関連させ、
該ファンの前方には室外機の外方に膨出した湾曲体を配設し、該湾曲体の内方には該湾曲体の窪んだ内面に散水する散水手段を配設し、該散水手段は前記発電機が発生する電力により作動することを特徴とするエアコンの室外機（請求項１）。
【０００７】
（２）エアコンの室外機に内設されたファンの回転軸に発電機の回転軸を関連させ、
該ファンの前方には該ファンの方向に膨出した湾曲体を配設し、該湾曲体と該ファンとの間には該湾曲体の膨出した表面に散水する散水手段を配設し、該散水手段は前記発電機が発生する電力により作動することを特徴とするエアコンの室外機（請求項２）。
【０００８】
（３）前記湾曲体は、多孔質体により形成され、かつ、多数の突条を備えている（請求項３）。
【０００９】
（４）前記湾曲体にハニカム構造体を付設する（請求項４）。
【００１０】
（５）前記湾曲体に水を感知する液体センサーを備えさせ、該液体センサーが一定以上の水を感知したときには前記散水手段を作動させないようにする（請求項５）。
【００１１】
（６）室外機内には温度センサーを備えさせ、該温度センサーが一定以上の室外機内の温度を感知したときにのみ前記散水手段を作動させるようにする（請求項６）。
【００１２】
（７）前記湾曲体は、一対の湾曲板間に不織布を挟着し、該不織布内には二酸化チタンを被覆したピアノ線を配設し、該ピアノ線の一端に給水管を接続してなる（請求項７）。
【発明の効果】
【００１３】
[請求項１の発明]
湾曲体の窪んだ内面には散水手段により散水される。ファンにより送風される温風は、湾曲体の窪んだ内面に当り、該内面に付着している水は該温風により蒸発する。したがって、気化熱が奪われて湾曲体の温度が低下する。その結果、温度が低下した湾曲体に当たることにより温風の温度が低下する。すなわち、ファンにより送風される温風は温度が低下した状態で室外機の外部に排出される。換言すれば、エアコンの室外機から排出される温風による外気温の上昇が防止される。湾曲体は、平板等に比べて表面積が大きいため、より大きな気化熱を発生させ、より大きな冷却効果を発揮する。なお、散水手段は、ファンの回転軸に関連させた発電機が発生する電力により作動するため、散水手段用の特別な電源を設けることを要しない。
【００１４】
[請求項２の発明]
請求項２の発明における湾曲体はファンの方向に膨出しているのであるが、請求項２の発明は前記請求項１の発明と同様の効果を発揮する。
【００１５】
[請求項３の発明]
湾曲体は、多孔質体により形成され、かつ、多数の突条を備えているため、表面積が極めて大きい。したがって、更に大きな気化熱を発生させ、更に大きな冷却効果を発揮する。また、多孔質体により形成された湾曲体は、保水力があり、散水時に水が垂れ落ちるおそれがない。
【００１６】
[請求項４の発明]
湾曲体に付設されたハニカム構造体は、通過する温風の熱を更に吸収する。したがって、ファンにより送風される温風は一層温度が低下した状態で室外機の外部に排出される。
【００１７】
[請求項５の発明]
湾曲体に水を感知する液体センサーを備えさせ、該液体センサーが一定以上の水を感知したときには前記散水手段を作動させないようにしたため、該散水手段は必要以上の水を散水しない。すなわち、水が節約される。
【００１８】
[請求項６の発明]
室外機内には温度センサーを備えさせ、該温度センサーが一定以上の室外機内の温度を感知したときにのみ散水手段を作動させるようにしたため、不必要の散水を防止し、室外機のファンモーターの負荷を軽減することができる。
【００１９】
[請求項７の発明]
給水管からピアノ線に供給された水は、毛細管現象によりピアノ線に沿って進み、不織布内に滲入して湾曲体を冷却する。ピアノ線は、表面に二酸化チタンを被覆しているため、表面が滑らかになり、水は毛細管現象によりピアノ線に沿って円滑に進む。したがって、ファンにより送風される温風は、一層効果的に冷却される。
【発明を実施するための最良の形態】
【００２０】
符号１に示すものはエアコンの室外機である。
【００２１】
エアコンの室外機１に内設されたファン３の回転軸５に発電機７の回転軸９を関連させる。
【００２２】
すなわち、一例として、図１、図４に示すように、ファン３のモーター１１の近傍に発電機７を配設し、該ファン３の回転軸５と発電機７の回転軸９とをベルト１３を介して連結する。
【００２３】
図１、図２に示す事例においては、ファン３の前方には室外機１の外方に膨出した湾曲体１５を配設し、該湾曲体１５の内方には該湾曲体１５の窪んだ内面１５ａに散水する散水手段１７を配設し、該散水手段１７は前記発電機７が発生する電力により作動するようにしている。符号１７ａに示すものは散水ノズルである。符号１８に示すものは、風囲いである。
【００２４】
図４、図５に示す事例においては、ファン３の前方には該ファン３の方向に膨出した湾曲体１９を配設し、該湾曲体１９と該ファン３との間には該湾曲体１９の膨出した表面１９ａに散水する散水手段１７を配設し、該散水手段１７は前記発電機７が発生する電力により作動するようにしている。符号１７ａに示すものは散水ノズルである。
【００２５】
散水手段１７が散水する水は、例えば、室外機から排出されるドレン、雨水、水道水等とする。
【００２６】
湾曲体１５（１９）は、多孔質体により形成され、かつ、多数の突条ないしヒダ２１、２１・・・を備えている。突条２１、２１・・・は、一例として、放射状に配設する。
【００２７】
湾曲体１５（１９）は、陶器により形成することが望ましいが、布、金網、金属等により形成してもよい。
【００２８】
湾曲体１５（１９）にはハニカム構造体２３を付設する。湾曲体１５（１９）に当った温風は、ハニカム構造体２３を通って室外機１の外部に排出される。
【００２９】
ハニカム構造体２３は、一例として、アルミニウムにより形成する。
【００３０】
前記湾曲体１５（１９）には水を感知する液体センサー２５を備えさせる。液体センサー２５が一定以上の水を感知したときには前記散水手段１７を作動させないようにする。液体センサー２５は、前記発電機７が発生する電力により作動する。
【００３１】
室外機１内には温度センサー２７を備えさせる。温度センサー２７が一定以上の室外機１内の温度を感知したときにのみ前記散水手段１７を作動させるようにする。温度センサー２７は、前記発電機７が発生する電力により作動する。
【００３２】
図６〜図８に示す事例においては、湾曲体１５（１９）は、一対の湾曲板２９、３１間に不織布３３を挟着し、該不織布３３内には二酸化チタン３５を被覆したピアノ線３７を配設し、該ピアノ線３７の一端に給水管３９を接続してなるものである。
【００３３】
湾曲板２９、３１は、一例として、アルミニウムにより形成する。図６に示す給水管３９は、散水手段１７への分岐管３９ａを備えている。
【図面の簡単な説明】
【００３４】
【図１】本発明によるエアコンの室外機の一例を示す断面図である。
【図２】同上室外機の正面図である。
【図３】湾曲体の一例を示す断面図である。
【図４】本発明によるエアコンの室外機の別の一例を示す断面図である。
【図５】同上室外機の正面図である。
【図６】湾曲体の別の一例を示す断面図である。
【図７】同上湾曲体を示す別の断面図である。
【図８】ピアノ線の断面図である。
【符号の説明】
【００３５】
１  室外機
３  ファン
５  回転軸
７  発電機
９  回転軸
１１  モーター
１３  ベルト
１５  湾曲体
１５ａ  窪んだ内面
１７  散水手段
１７ａ  散水ノズル
１８  風囲い
１９  湾曲体
１９ａ  膨出した表面
２１  突条
２３  ハニカム構造体
２５  液体センサー
２７  温度センサー
２９  湾曲板
３１  湾曲板
３３  不織布
３５  二酸化チタン
３７  ピアノ線
３９  給水管
３９ａ  分岐管
【図１】
2009068795.tif 000003
【図３】
2009068795.tif 000004
【図４】
2009068795.tif 000005
【図５】
2009068795.tif 000006
【図７】
2009068795.tif 000007
【図８】
2009068795.tif 000008
【図２】
2009068795.tif 000009
【図６】
2009068795.tif 000010